(57)【要約】【課題】ブローチ本体が長尺であっても加工精度の低下を招くことがなく、また前後掴み部に損傷が生じてもブローチ本体全体の交換には至らずに済むブローチを提供する。特に前案内部の精度低下によるブローチ加工精度の劣化を防ぐことができ、ブローチ盤の諸元に関わらずに前つかみ部を把持して取り付け可能なブローチを提供する。【解決手段】軸状のブローチ本体１の長手方向中央部に、ブローチ本体１の外周側に突出する複数の切刃４ａが記長手方向に配列された切刃部４が設けられたブローチであって、ブローチ本体１は、長手方向に着脱可能に分割される少なくとも２つの部材７、８によって構成される。また、ブローチ本体１の切刃部４よりも長手方向の一端側には、外形円柱状の前案内部３が設けられ、ブローチ本体１は前案内部３よりも長手方向一端側で分割される。【選択図】図１
2015083327.tif 000002
【特許請求の範囲】
【請求項１】
軸状のブローチ本体の長手方向中央部に、上記ブローチ本体の外周側に突出する複数の切刃が上記長手方向に配列された切刃部が設けられたブローチであって、上記ブローチ本体は、上記長手方向に着脱可能に分割される少なくとも２つの部材によって構成されていることを特徴とするブローチ。
【請求項２】
上記ブローチ本体の上記切刃部よりも上記長手方向の一端側には、外形円柱状の前案内部が設けられており、上記ブローチ本体は、上記前案内部よりも上記長手方向一端側で分割されることを特徴とする請求項１に記載のブローチ。
【請求項３】
少なくとも上記２つの部材は、ネジ嵌合によって上記長手方向に着脱可能とされていることを特徴とする請求項１または請求項２に記載のブローチ。
【請求項４】
少なくとも上記２つの部材は、一方の部材に形成された凸部が他方の部材に形成された凹部に嵌合された上で、上記他方の部材の外周から上記凹部の内周に突出するように挿通された係合部材が、上記凸部に形成された凹所に係合することによって上記長手方向に着脱可能とされていることを特徴とする請求項１から請求項３のうちいずれか一項に記載のブローチ。
【発明の詳細な説明】
【技術分野】
【０００１】
本発明は、軸状のブローチ本体の長手方向中央部に、上記ブローチ本体の外周側に突出する複数の切刃が上記長手方向に配列された切刃部が設けられたブローチに関するものである。
【背景技術】
【０００２】
このようなブローチにおいては、例えば特許文献１に記載されているように、前つかみ部を有する軸状のブローチ本体の前つかみ部とは反対側に棒状の嵌合部を有し、この嵌合部に、切刃を有する切刃部が外周に設けられた中空円筒状またはリング状の組立体（シェル）を嵌合してナットにより固定した組立式のブローチが知られている。ここで、この特許文献１に記載されたブローチにおいては、前つかみ部と嵌合部との間に案内部が設けられている。
【先行技術文献】
【特許文献】
【０００３】
【特許文献１】特開２００４−３３０３２８号公報
【発明の概要】
【発明が解決しようとする課題】
【０００４】
ところで、このようなブローチにおいては、ブローチ加工を行うブローチ盤の諸元などによっては軸状のブローチ本体の長さが極めて長くなることがある。これは、切刃がブローチ本体に一体に形成された一体型のブローチでは勿論、特許文献１に記載された組立式のブローチでも、棒状の嵌合部を含めたブローチ本体の長さは一体型と変わらないため、同様である。
【０００５】
しかしながら、そのような長尺のブローチでは、ブローチ本体を製造する際に、その長手方向を横向きにしてブローチ本体の外周面に研磨等の加工を行おうとすると、ブローチ本体に撓みを生じてしまい、加工精度の低下を招くおそれがある。さらに、万一、前つかみ部や前つかみ部とは長手方向反対側に設けられる後つかみ部に損傷が生じると、ブローチ本体全体を交換しなければならない。
【０００６】
また、特に、前つかみ部と切刃が設けられた切刃部との間に配設される前案内部は、ワークに予め形成された下孔に嵌合して切刃部をガイドするものであるため、撓みによって前案内部の加工精度が低下すると切刃がワークに食い付く際にがたつきを生じてブローチによる加工精度も低下することになる。さらに、例えば前つかみ部の長さが異なるブローチでは、一つのブローチ盤に前つかみ部を把持して取り付けることができず、前つかみ部の長さに応じた異なる諸元のブローチ盤を用意しなければならなくなる。
【０００７】
本発明は、このような背景の下になされたもので、ブローチ本体が長尺であっても外周研磨等の加工精度の低下を招くことがないとともに、前後掴み部に損傷が生じてもブローチ本体全体の交換には至らずに済むブローチを提供することを第１の目的とし、また特に前案内部の精度低下によるブローチ加工精度の劣化を防ぐことができるとともに、ブローチ盤の諸元に関わらずに前つかみ部を把持して取り付け可能なブローチを提供することを第２の目的としている。
【課題を解決するための手段】
【０００８】
上記課題を解決して、上記第１の目的を達成するために、本発明は、軸状のブローチ本体の長手方向中央部に、上記ブローチ本体の外周側に突出する複数の切刃が上記長手方向に配列された切刃部が設けられたブローチであって、上記ブローチ本体は、上記長手方向に着脱可能に分割される少なくとも２つの部材によって構成されていることを特徴とするものである。
【０００９】
従って、このようなブローチにおいては、ブローチ本体が長尺であっても、その長手方向に少なくとも２つの部材に分割した状態で外周の研磨等の加工を施すことにより、この長手方向を横向きにして加工を行っても撓みを生じるおそれが少なくなり、ブローチ本体を製造する際の加工精度の低下を抑制することができる。さらに、前つかみ部と後つかみ部は、着脱可能に分割される少なくとも２つの部材のうち長手方向両端の２つの部材にそれぞれ形成されるので、一方のつかみ部が損傷したときにはこの一方が形成された部材だけを交換すればよい。
【００１０】
また、上記第２の目的を達成するために、本発明は、上記構成のブローチにおいて、さらに、上記ブローチ本体の上記切刃部よりも上記長手方向の一端側には、外形円柱状の前案内部が設けられており、上記ブローチ本体は、上記前案内部よりも上記長手方向一端側で分割されることを特徴とする。
【００１１】
従って、このように構成されたブローチにおいては、前案内部と切刃部とをブローチ本体の長手方向に分割される少なくとも２つの部材のうち同一の部材に形成することが可能となり、これら前案内部と切刃部との同軸度を確保してワークの下孔に挿入された前案内部により切刃部を正確にガイドすることができ、がたつきを生じることなく高精度のブローチ加工を行うことが可能となる。また、この前案内部よりも上記長手方向一端側に配設されることになる前つかみ部を、これら前案内部および切刃部が形成される部材とは別の部材に形成することも可能となり、この前つかみ部が形成された部材をブローチ盤の諸元に応じた部材に交換することによって１つのブローチ盤で異なるブローチ加工をワークに施すことも可能となる。
【００１２】
ここで、上記ブローチ本体を構成する少なくとも２つの部材をその長手方向に着脱可能に分割するには、一つに、これら少なくとも上記２つの部材を、ネジ嵌合によって上記長手方向に着脱可能とすればよい。また、他の一つとして、少なくとも上記２つの部材を、一方の部材に形成された凸部が他方の部材に形成された凹部に嵌合された上で、上記他方の部材の外周から上記凹部の内周に突出するように挿通された係合部材が、上記凸部に形成された凹所に係合することによって上記長手方向に着脱可能としてもよい。さらに、ブローチ本体が３つ以上の部材によって構成されている場合には、少なくとも１組の２つの部材を前者のようなネジ嵌合、他の少なくとも１組の２つの部材を後者のような係合部材による嵌合によって着脱可能に分割するようにしてもよい。
【発明の効果】
【００１３】
以上説明したように、本発明によれば、第１に、ブローチ本体を製造する際の加工精度の低下を抑えて高精度のブローチ加工を行うことができるとともに、前つかみ部と後つかみ部の一方の損傷が生じたときでも、損傷したつかみ部が形成された部材だけを交換すればよく、効率的である。また、第２に、ブローチ本体を前案内部よりも切刃部とは反対の長手方向一端側で分割するように構成することにより、一層高精度のブローチ加工を行うことができるとともに、１つのブローチ盤で異なる切刃部や前案内部を有するブローチによる加工を行うことが可能となる。
【図面の簡単な説明】
【００１４】
【図１】本発明の第１の実施形態を示す、ブローチ本体を分割した状態の一部破断側面図である。
【図２】図１に示す実施形態のブローチ本体を組み立てた状態の一部破断側面図である。
【図３】図２に示す状態の２つの部材の連結部を示す拡大断面図である。
【図４】本発明の第２の実施形態を示す、ブローチ本体を分割した状態の一部破断側面図である。
【図５】図４に示す実施形態のブローチ本体を組み立てた状態の一部破断側面図である。
【図６】図５に示す状態の２つの部材の連結部を示す拡大断面図である。
【発明を実施するための形態】
【００１５】
図１ないし図３は、本発明の第１の実施形態を示すものである。本実施形態において、ブローチ本体１は、高速度工具鋼等の硬質材料により形成されて軸線Ｏを中心とした外形が略多段円柱形の長尺軸状をなしており、図示されないブローチ盤に把持されて、その長手方向（軸線Ｏ方向）の一端側（図１ないし図３において左側）からやはり図示されないワークに形成された下孔に挿入されることにより、この下孔の内周面に歯切り加工のようなブローチ加工を施してゆく。
【００１６】
ブローチ本体１には、上記長手方向一端側から他端側（図１ないし図３において右側）に向けて順に、前つかみ部２、前案内部３、切刃部４、後案内部５、および後つかみ部６が形成されている。前つかみ部２と後つかみ部６にはブローチ盤に把持されるくびれ部２ａ、６ａが形成されるとともに、前つかみ部２のくびれ部２ａから長手方向他端側に向けては長尺円柱軸状の柄部２ｂが軸線Ｏに沿って延びていて、さらにこの柄部２ｂの他端には、他端側に向かうに従い漸次拡径する軸線Ｏを中心とした円錐台状部２ｃが形成されている。
【００１７】
前案内部３の外形は、その一端側の上記長手方向に僅かな範囲の部分が他端側に向かうに従い漸次拡径する軸線Ｏを中心とした円錐台状部３ａとされるとともに、この円錐台状部３ａよりも他端側の大部分は軸線Ｏを中心とした円柱状部３ｂとされており、この円柱状部３ｂの外径はワークの下孔に嵌合可能な大きさとされている。前案内部３の円錐台状部３ａの一端における外径は前つかみ部２の円錐台状部２ｃの他端における外径と略等しくされるとともに、円錐台状部３ａの他端における外径は円柱状部３ｂの外径と等しくされており、ただし円錐台状部３ａの外周面が軸線Ｏに対してなす傾斜角は、円錐台状部２ｃの外周面が軸線Ｏに対してなす傾斜角よりも小さくされている。
【００１８】
切刃部４には、ブローチ本体１の外周側に突出する切刃４ａが上記長手方向に間隔をあけて複数（多数）配列されるとともに、このような切刃４ａの列が周方向にも間隔をあけて複数列配設されている。これらの切刃４ａは、上記長手方向他端側の切刃４ａが一端側の切刃４ａよりもブローチ本体１の外周側への突出量や周方向の幅が大きくなるようにされており、ブローチ本体１をワークの下孔に挿入して相対的に一端側に送り出すことにより、下孔の内周面に歯溝を形成したりこの歯溝の幅を大きくしたりしてブローチ加工を行う。なお、切刃４ａの列が軸線Ｏ回りに捩れて配列されたヘリカルブローチとされていてもよい。また、切刃部４には必要に応じて下孔の内径を拡径する丸刃のような切刃４ａが備えられていてもよい。
【００１９】
さらに、後案内部５は、このように必要に応じて切刃部４により拡径した下孔に嵌合可能な外径を有する軸線Ｏを中心とした円柱状または円板状とされている。また、後つかみ部６には、この後案内部５がなす円柱または円板から上記長手方向他端側に向かうに従い漸次縮径する軸線Ｏを中心とした円錐台状部６ｂと、この円錐台状部６ｂの他端から延びる軸線Ｏを中心とした短い円柱状の柄部６ｃとが形成されて、上記くびれ部６ａに至っている。
【００２０】
そして、本実施形態では、ブローチ本体１は、その長手方向に着脱可能に分割される少なくとも２つの部材によって構成されており、本実施形態では、上記前案内部３よりも長手方向一端側で分割される一端側の第１の部材７と他端側の第２の部材８との２つの部材７、８により構成されている。これら第１、第２の部材７、８は、ブローチ本体１の外周面においては、前つかみ部２の他端側の円錐台状部２ｃと前案内部３の一端側の円錐台状部３ａとの境界において分割される。
【００２１】
こうして分割された第１、第２の部材７、８は、本実施形態においてはネジ嵌合により着脱可能とされている。すなわち、第１の部材７の他端面には軸線Ｏを中心とするネジ軸部７ａが他端側に突出するように形成される一方、第２の部材８の一端面には、このネジ軸部７ａがねじ込み可能なネジ孔部８ａがやはり軸線Ｏを中心として他端側に凹むように形成されている。
【００２２】
さらに、ネジ軸部７ａの根本部分には、ネジ軸部７ａの一端から一端側に向かうに従い漸次拡径する軸線Ｏを中心とした円錐台状のテーパ部７ｂが形成される一方、ネジ孔部８ａの開口部は、その雌ネジ部分の一端からやはり一端側に向かうに従い漸次拡径する軸線Ｏを中心としたテーパ面８ｂとされている。このテーパ部７ｂの外周面とテーパ面８ｂの内周面が軸線Ｏに対してなすテーパ角は互いに等しくされている。
【００２３】
このような第１、第２の部材７、８は、第１の部材７のネジ軸部７ａが第２の部材８のネジ孔部８ａにねじ込まれて嵌合することにより着脱可能に一体化されてブローチ本体１を構成する。このとき、図３に示すように第１の部材７のテーパ部７ｂの外周面が第２の部材８のテーパ面８ｂに密着することにより、第１、第２の部材７、８は軸線Ｏに関して同軸に連結される。なお、この状態で第１の部材７の他端面と第２の部材８の一端面との間には、図３に示すように僅かな隙間が空いていてもよい。
【００２４】
このように構成されたブローチにおいては、ブローチ本体１自体は長尺であっても、長手方向に第１、第２の部材７、８を分割することにより、それぞれの部材７、８の長さは短くすることができる。従って、こうして分割した状態で第１、第２の部材７、８を横置きにしても撓みが生じることは少なく、ブローチ本体１を製造する際にはこの状態で外周研磨等の加工を施すことにより、加工精度の低下を防ぐことができる。
【００２５】
さらに、このようにブローチ本体１が少なくとも２つの部材７、８によって長手方向に分割されることにより、この長手方向の両端部に設けられる前つかみ部２と後つかみ部６とは、これらの部材７、８のうち一端側の部材（第１の部材）７と他端側の部材（第２の部材）８とにそれぞれ形成されることになる。このため、これら前つかみ部２と後つかみ部６の一方が損傷した場合でも、これらの部材７、８の一方を交換すればよく、ブローチ本体１全体を交換するのに比べて効率的である。
【００２６】
また、特に本実施形態では、第１、第２の部材７、８が、前つかみ部２と前案内部３との境界で分割されるように構成されており、従って前案内部３と切刃部４とは同一の部材（第２の部材）８に形成されることになる。このため、上述のようにブローチ本体１が長手方向に着脱可能に分割されるように構成されていても、これら前案内部３と切刃部４との同軸度は確保することができ、前案内部３によって切刃部４を正確にワークの下孔にガイドしてがたつきを抑え、高精度のブローチ加工を行うことが可能となる。
【００２７】
さらに、ブローチ盤の諸元等によっては、特に前つかみ部２の長さに制約があるような場合があり、そのようなブローチ盤によって異なる歯溝深さや歯溝幅のブローチ加工を行おうとすると、ブローチ盤の諸元に対応した前つかみ部２を有する複数のブローチを用意しなければならない。ところが、これに対しても、本実施形態のブローチによれば、前案内部３よりも一端側の前つかみ部２が形成された第１の部材７が、前案内部３や切刃部４が形成された第２の部材とは着脱可能に分割されるので、上述のような異なるブローチ加工に応じた複数種の第２の部材８を用意して、そのネジ孔部８ａおよびテーパ面８ｂは共通の第１の部材７のネジ軸部７ａおよびテーパ部７ｂと着脱可能に形成することにより、前つかみ部２はブローチ盤の諸元に対応したまま複数種のブローチ加工を行うことが可能となる。
【００２８】
また、上記第１の実施形態では、第１、第２の部材７、８がネジ軸部７ａとネジ孔部８ａによるネジ嵌合によって長手方向に着脱可能に分解されるように構成されており、比較的簡略な構造でありながら、確実に第１、第２の部材を着脱可能とすることができる。また、本実施形態では、上記ネジ軸部７ａの根本部分に軸線Ｏを中心とした円錐台状のテーパ部７ｂが形成される一方、ネジ孔部８ａの開口部にはやはり軸線Ｏを中心としたテーパ面８ｂとされていて、これらのテーパ部７ｂとテーパ面８ｂが軸線Ｏに対してなすテーパ角は互いに等しくされているので、テーパ部７ｂをテーパ面８ｂに密着させることによって第１、第２の部材７、８の同軸度も確保することができる。
【００２９】
なお、このようにネジ嵌合によって第１、第２の部材７、８を着脱可能に分解されるように構成するのに代えて、図４ないし図６に示す本発明の第２の実施形態のように、一方の部材に形成された凸部７ｃが他方の部材に形成された凹部８ｃに嵌合された上で、他方の部材の外周から上記凹部８ｃの内周に突出するように挿通された係合部材９が、凸部７ｃに形成された凹所７ｄに嵌合することによって上記長手方向に着脱可能としてもよい。この第２の実施形態では、第１の部材７に凸部７ｃが、第２の部材８に凹部８ｃが形成されており、その他の第１の実施形態と共通する部分には同一の符号を配して説明を省略する。
【００３０】
ここで、第１の部材７の凸部７ｃは、軸線Ｏを中心とした外形円柱状をなして第１の部材７の他端面から突出するように形成されており、その外周面には上記凹所７ｄとして軸線Ｏを中心に１周する環状溝が複数条（図４ないし図６では２条）、ブローチ本体１の長手方向に間隔をあけて形成されている。これらの環状溝は軸線Ｏに沿った断面が凹Ｖ字状をなしている。なお、凸部７ｃの根本部分には第１の実施形態のようなテーパ部は形成されておらず、軸線Ｏに垂直な平坦面とされた第１の部材７の他端面から、凸部７ｃの外周面が垂直に延びるように形成されている。
【００３１】
また、第２の部材８の凹部８ｃは、凸部７ｃが嵌合可能な大きさの一定の内径と、第１の部材７の他端面からの凸部７ｃの突出量よりも大きな深さとを有して、第２の部材８の一端面から軸線Ｏを中心に形成されている。この凹部８ｃの開口部にも第１の実施形態のネジ孔部８ａの開口部のようなテーパ面は形成されておらず、第２の部材８の一端面も軸線Ｏに垂直な平坦面とされている。
【００３２】
さらに、この凹部８ｃに凸部７ｃを嵌合させて挿入し、第２の部材８の一端面に第１の部材７の他端面が当接した状態で、上記長手方向において上記凹所７ｄとしての複数条の環状溝にそれぞれ対応した位置には、第２の部材８の前案内部３の外周面から凹部８ｃの内周面に貫通する座繰り孔８ｄが形成されており、これらの座繰り孔８ｄは、前案内部３の外周面に開口する部分は大径の座繰り部とされる一方、凹部８ｃの内周面に開口する部分はこれよりも小径のネジ孔とされている。第２の実施形態では、このような座繰り孔８ｄが各環状溝に対して周方向に等間隔をあけて複数ずつ形成されている。
【００３３】
そして、これらの座繰り孔８ｄには、座繰り部の深さよりも僅かに小さい厚さの頭部９ａとネジ孔の深さよりも僅かに長い雄ネジ部９ｂとを有する上記係合部材９としてのボルトが前案内部３の外周側からねじ込まれて挿通され、雄ネジ部９ｂの先端が凹部８ｃの内周面から僅かに突出して凹所７ｄの内壁に当接することにより係合している。従って、係合部材９としてのボルトを緩めることにより、第１の部材７と第２の部材８とはブローチ本体１の長手方向に着脱可能に分割される。
【００３４】
このような第２の実施形態でも、第１の実施形態と同様に、ブローチ本体１を製造する際には第１、第２の部材７、８を分割して外周研磨等の加工を施すことにより、撓みを抑えて加工精度の低下を防ぐことができるとともに、前つかみ部２と後つかみ部６の一方が損傷した場合でも、第１、第２の部材７、８の一方を交換すればよい。さらに、これら第１、第２の部材７、８が、前つかみ部２と前案内部３との境界で分割されので、前案内部３と切刃部４との同軸度を維持して高精度のブローチ加工を行うことができるとともに、前つかみ部２はブローチ盤の諸元に対応したまま複数種のブローチ加工を行うことが可能となる。
【００３５】
また、この第２の実施形態では、凹所７ｄが軸線Ｏを中心とした環状溝とされているとともに、係合部材９が座繰り孔８ｄのネジ孔にねじ込まれる雄ネジ部９ｂを有するボルトとされているので、前つかみ部２が形成された第１の部材７と切刃部４や後つかみ部６が形成された第２の部材との間で周方向の位置合わせが必要な場合でも、ボルトを緩めて第１、第２の部材７、８を回転させることにより、容易に対応することができる。ただし、このような位置合わせが不要な場合には、第２の実施形態の変形例として、凹所７ｄは、軸線Ｏに沿った断面が上記と同じくＶ字状であっても、例えば軸線Ｏに垂直な中心線を有する凹円錐面状の内壁を有するものであってもよい。
【００３６】
なお、図６に示す第２の実施形態では、係合部材９としてのボルトの中心線が、凹所７ｄとしての環状溝の断面がなす上記Ｖ字の二等分線と一致しているが、この第２の実施形態や、上述したその変形例においても、第１の部材７の他端面を第２の部材８の一端面に当接させた状態でボルトの中心線が環状溝の断面Ｖ字の二等分線よりも僅かに他端側に位置するようにして、ボルトをねじ込むことにより雄ネジ部９ｂの先端が環状溝の他端側の内壁に当接して凸部７ｃを他端側に引き込むことにより、第１、第２の部材７、８の端面同士を強く密着させるように構成してもよい。
【００３７】
さらに、上述のような位置合わせが不要な場合には、第２の実施形態の他の変形例として、例えば第１の部材７の上記凹所７ｄとして凸部７ｃに軸線Ｏに直交する貫通孔を形成するとともに、第２の部材８の外周面から凹部８ｃにもブローチ本体１の長手方向において上記貫通孔に対応する位置にこの貫通孔と同径で軸線Ｏに直交する貫通孔を形成し、これらの貫通孔を同軸に連通させた状態で、係合部材９としてロックピンを打ち込んで嵌挿することにより係合させ、第１、第２の部材７、８を長手方向に着脱可能に分割されるように構成してもよい。
【００３８】
また、上記第１、第２の実施形態や各変形例では、ブローチ本体１が第１、第２の２つの部材７、８により分割されて長手方向に着脱可能に構成されているが、例えば第２の部材８を後案内部５と後つかみ部６との境界で分割するなどして、３つ以上の部材によって着脱可能に分割されるように構成されていてもよい。この場合には、長手方向に隣接する２組以上の２つの部材同士の連結部の構成は、第１、第２の実施形態や各変形例のうちの同じ構成の連結部であってもよく、また少なくとも１組が他の組と異なる構成の連結部であってもよい。
【符号の説明】
【００３９】
１  ブローチ本体
２  前つかみ部
３  前案内部
４  切刃部
４ａ  切刃
５  後案内部
６  後つかみ部
７  第１の部材
７ａ  ネジ軸部
７ｂ  テーパ部
７ｃ  凸部
７ｄ  凹所（環状溝）
８  第２の部材
８ａ  ネジ孔部
８ｂ  テーパ面
８ｃ  凹部
８ｄ  座繰り孔
９  係合部材（ボルト）
Ｏ  ブローチ本体１の軸線
【図１】
2015083327.tif 000003
【図２】
2015083327.tif 000004
【図３】
2015083327.tif 000005
【図４】
2015083327.tif 000006
【図５】
2015083327.tif 000007
【図６】
2015083327.tif 000008